(57)【要約】【課題】返金レバーの回転軸と投入口パネルの軸受部との間の隙間に浸入した雨水などの水を、樋などを設けなくても、前面扉の外部に排出することができる自動販売機の排水装置を提供する。【解決手段】投入金返却用の返金レバー３の回転軸３ｂを回転自在に支持する投入口パネル４の軸受部４ｂの内壁面下部に、軸受部４ｂと返金レバー３の回転軸３ｂとの間に侵入した水を外部に導く溝部４ｃを形成した。これにより、軸受部４ｂと返金レバー３の回転軸３ｂとの間に浸入した雨水などの水が溝部４ｃに流れ込んで良好に外部に排出させることができる。【選択図】　　図１
2004102846.tif 000002
【特許請求の範囲】
【請求項１】
投入金返却用の返金レバーの回転軸を回転自在に支持する軸受部の内壁面下部に、軸受部と返金レバーの回転軸との間に侵入した水を外部に導く溝部を形成したことを特徴とする自動販売機の排水装置。
【請求項２】
溝部が軸受部の内壁面下部において、軸受部の奥側部分を除く箇所に形成されているとともに、接客面に臨む外側ほど下方に傾斜するように形成されていることを特徴とする請求項１記載の自動販売機の排水装置。
【請求項３】
軸受部の奥行方向中央部分において、返金レバーの回転軸と軸受部との間の隙間が軸受部の奥行方向手前側部分よりも大きくなる箇所が設けられ、この隙間が大きくなった箇所と溝部とが連通されていることを特徴とする請求項１または２に記載の自動販売機の排水装置。
【発明の詳細な説明】
【０００１】
【発明の属する技術分野】
本発明は、自動販売機の排水装置、特に、返金レバーが設けられている箇所の排水構造に関するものである。
【０００２】
【従来の技術】
図６に示すごとく、自動販売機の前面扉１における接客面１ａには、硬貨を投入するコイン投入口２や、投入した硬貨や紙幣を返却させるための返金レバー３などが設けられている（例えば、特許文献１）。
【０００３】
図７、図８に示すように、前面扉１の接客面１ａにおける返金レバー３やコイン投入口２が設けられている箇所には投入口パネル４が配設されており、この投入口パネル４には、返金レバー３のレバー部３ａが配設されている窪み部４ａや、返金レバー３の回転軸３ｂを回転自在に受ける筒状の軸受部４ｂが一体形成されている。また、返金レバー３の回転軸３ｂには、返金レバー３の回転を図外の返金機構に伝達する伝達リンク５に結合される連結軸部３ｃや爪部３ｄも一体形成されている。なお、図７、図８における７は伝達リンク５を返金レバー３の連結軸部３ｃに固定する固定ねじである。
【０００４】
さらに、軸受部４ｂの前端部４ｄは、窪み部４ａよりも少しだけ前方に突出しており、この軸受部４ｂの前端部４ｄを外側から覆うように、返金レバー３に軸カバー部３ｅが回転軸３ｂの外周側に一体形成されている。なお、投入口パネル４における軸受部４ｂが形成された内壁面部分は単純な円筒形状（図７、図８に示すものにおいては、詳しくは、傾斜勾配が一定の円錐筒形状）とされ、また、これに対応して返金レバー３の回転軸３ｂの外周面も円筒形状（図７、図８に示すものにおいては、詳しくは、傾斜勾配が一定の円錐筒形状）とされており、これらの直径は、良好に互いに回転できるように、返金レバー３の回転軸３ｂにおける外周面直径よりも投入口パネル４における軸受部４ｂの内壁面直径が僅かに大きく形成されている。
【０００５】
ところで、返金レバー３は、外部に臨んで配設されているため、自動販売機が屋外などに設置されている場合には、返金レバー３が設けられている箇所にも雨水などがかかることがある。この際に、投入口パネル４の軸受部４ｂの前端部４ｄは、返金レバー３の軸カバー部３ｅにより覆われているものの、投入口パネル４の窪み部４ａにおける軸受部４ｂの上方箇所などをつたって流れ落ちてきた雨水などが、返金レバー３の回転軸３ｂと投入口パネル４の軸受部４ｂとの間の隙間に浸入し、毛細管現象によって、この隙間をつたって奥側に入り込むことがあり、この場合には、投入口パネル４における軸受部４ｂの奥側下端部から前面扉１内に水Ｗが滴下してしまう。したがって、このように水Ｗが前面扉１内に浸入した場合でも、支障をきたさないように、図７に示すように、投入口パネル４における軸受部４ｂの奥側下端部から滴下した水Ｗを受けて、前面扉１から外部に排出するための樋６を接客面１ａの裏面箇所に設けており、例えば樋６の出口を前面扉１の下面箇所まで延設している。
【０００６】
【特許文献１】
実開平７−６８７３号公報（第５頁、図１）
【０００７】
【発明が解決しようとする課題】
しかしながら、上記従来構成によれば、返金レバー３の回転軸３ｂと投入口パネル４の軸受部４ｂとの間の隙間を通って前面扉１内に浸入した水Ｗを外部に排出するための樋６が必要であるので、その分だけ、製造コストが高くなるとともに、樋６を取り付けるための製造工程での手間も増加してしまうという課題があった。
【０００８】
本発明は上記課題を解決するもので、返金レバーの回転軸と投入口パネルの軸受部との間の隙間に浸入した雨水などの水を、樋などを設けなくても、前面扉の外部に排出することができる自動販売機の排水装置を提供することを目的とするものである。
【０００９】
【課題を解決するための手段】
上記課題を解決するために本発明の請求項１記載の自動販売機の排水装置は、投入金返却用の返金レバーの回転軸を回転自在に支持する軸受部の内壁面下部に、軸受部と返金レバーの回転軸との間に侵入した水を外部に導く溝部を形成したことを特徴とする。
【００１０】
この構成により、軸受部と返金レバーの回転軸との間に雨水などの水が侵入した場合でも、この水は軸受部と返金レバーの回転軸との間で下方に流れて、軸受部の内壁面下部に形成した溝部に流入し、その後、溝部を通って外部に導かれて排出される。
【００１１】
請求項２記載の発明は、請求項１記載の自動販売機の排水装置において、溝部が軸受部の内壁面下部において、軸受部の奥側部分を除く箇所に形成されているとともに、接客面に臨む外側ほど下方に傾斜するように形成されていることを特徴とする。
【００１２】
この構成により、溝部は軸受部の奥側部分には形成されていないので、溝部に流れ落ちた水が軸受部の奥側部分に流れることを防止でき、一旦溝部に流れ落ちた水は溝部の高低差により外部に良好に排出される。
【００１３】
請求項３記載の発明は、請求項１または２に記載の自動販売機の排水装置における軸受部の奥行方向中央部分において、返金レバーの回転軸と軸受部との間の隙間が軸受部の奥行方向手前側部分よりも大きくなる箇所が設けられ、この隙間が大きくなった箇所と溝部とが連通されていることを特徴とする。
【００１４】
この構成により、返金レバーの回転軸と軸受部との間の隙間を雨水などの水が毛細管現象などにより奥側に移動しようとした場合でも、隙間が大きくなった箇所で、毛細管現象が作用し難くなって隙間の下方に流れ落ち、溝部に良好に流れ込む。これにより、水を良好に溝部に流れ込ませることができて、排水性能が向上する。
【００１５】
【発明の実施の形態】
以下、本発明の実施の形態にかかる自動販売機の排水装置を図面に基づき説明する。なお、従来の自動販売機と同様な機能の構成要素には同符号を付し、その説明を省略する。
【００１６】
図１〜図３に示すように、この自動販売機においては、投入金返却用の返金レバー３の回転軸３ｂを回転自在に支持する投入口パネル４における軸受部４ｂの内壁面下部に、軸受部４ｂと返金レバー３の回転軸３ｂとの間に侵入した水を外部に導く溝部４ｃが一体形成されている。したがって、この自動販売機においては、軸受部４ｂと返金レバー３の回転軸３ｂとの間に侵入した水を外部に導くための樋は設けられていない。
【００１７】
ここで、溝部４ｃは、軸受部４ｂの内壁面下部における奥側部分を除く箇所に形成され、手前側ほど下方に傾斜するように形成されている。
さらに、詳しくは、図３〜図５に示すように（図３〜図５においては、わかり易いように、返金レバー３の回転軸３ｂや軸受部４ｂの傾斜勾配や溝の深さを誇張して示している）、投入口パネル４の軸受部４ｂの孔形状は、奥側部分４ｂ１と中央部分４ｂ２と手前側部分４ｂ３とでそれぞれ異なっており、奥側部分４ｂ１は、手前側ほど僅かに広がる小さな傾斜勾配を有しながら、中央部分４ｂ２や手前側部分４ｂ３よりも小さい内径とされ、また、中央部分４ｂ２は、傾斜勾配が無くて、奥側部分４ｂ１における手前端箇所よりも少しだけ大きな内径とされ、手前側部分４ｂ３は、手前側ほど広がる小さな傾斜勾配を有して、手前側部分４ｂ３における奥端箇所で中央部分４ｂ２の手前端箇所と同じ直径となる形状に形成されている。一方、投入口パネル４の軸受部４ｂにおける溝部４ｃは、中央部分４ｂ２から手前側部分４ｂ３にかけて、小さな傾斜勾配（前述した手前側部分の勾配とほぼ同じ）で手前側ほど下方となる形状とされている。また、返金レバー３の回転軸３ｂは、手前側ほど広がる小さな傾斜勾配（この勾配は、軸受部４ｂの奥側部分や手前側部分の勾配と等しい）を有している。
【００１８】
したがって、返金レバー３の回転軸３ｂと投入口パネル４の軸受部４ｂとの間の隙間は、溝部４ｃ以外の箇所では、手前側部分および奥側部分ではほぼ均一な僅かな隙間となる一方で、中央部分では奥側ほど、隙間が徐々に大きくなり、中央部分の奥端箇所で隙間が最も大きくなっている。
【００１９】
上記構成において、投入口パネル４の窪み部４ａにおける軸受部４ｂの上方箇所などをつたって流れ落ちてきた雨水などが、返金レバー３の回転軸３ｂと投入口パネル４の軸受部４ｂとの間の隙間に浸入し、毛細管現象により奥側に入り込もうとした場合でも、この水は、返金レバー３の回転軸３ｂと投入口パネル４の軸受部４ｂとの間の隙間を奥側に移動しつつ、下方に流れ落ちて、溝部４ｃに流入し、その後、溝部４ｃを通って外部（投入口パネル４の窪み部４ａ外面側）に導かれて排出される。また、この場合に、返金レバー３の回転軸３ｂと投入口パネル４の軸受部４ｂとの間の隙間が、溝部４ｃ以外の箇所では、中央部分では奥側ほど隙間が徐々に大きくなっているので、奥側に移動しようとした場合でも、この中央部分の隙間が大きくなった箇所（中央部分の奥端近傍箇所）で、毛細管現象が作用し難くなって隙間の下方に流れ落ち易くなり、溝部４ｃに良好に流れ込む。また、投入口パネル４の軸受部４ｂにおける中央部分から奥側部分への境界部分では、溝部４ｃ以外の箇所では、孔の直径が急に小さくなるので、投入口パネル４の軸受部４ｂにおける中央部分に臨む隙間を万一通ってきた水も、奥側部分に達することが防止される。
【００２０】
また、一旦、水が溝部４ｃに流れ落ちると、投入口パネル４の軸受部４ｂにおける奥側部分には、溝部４ｃが形成されていないので、それより奥側に流れ込むことはなく、投入口パネル４の軸受部４ｂよりも外部側に良好に導かれて排出される。
【００２１】
この構成により、返金レバー３の回転軸３ｂと投入口パネル４の軸受部４ｂとの間の隙間に雨水などが浸入した場合でも、溝部４ｃから良好に排水することができる。しかも、投入口パネル４に溝部４ｃを一体形成するだけであって、別途に樋などを設けていないため、樋を設けた場合と比較して製造コストを低減させることができるとともに、樋を取り付けるための工程が不要となり、生産性が向上する。
【００２２】
なお、上記の実施の形態においては、返金レバー３の回転軸３ｂと投入口パネル４の軸受部４ｂにおける手前側部分および奥側部分とが、手前側ほど直径が大きくなるような勾配を有している場合を述べたが、これに限るものではなく、勾配を有しない直筒形状であってもよいことはもちろんである。
【００２３】
【発明の効果】
以上のように本発明によれば、投入金返却用の返金レバーの回転軸を回転自在に支持する軸受部の内壁面下部に、軸受部と返金レバーの回転軸との間に侵入した水を外部に導く溝部を形成したことにより、軸受部と返金レバーの回転軸との間に浸入した雨水などの水を良好に外部に排出させることができる。しかも、別途に樋などを設けていないため、樋を設けた場合と比較して製造コストを低減させることができるとともに、樋を取り付けるための工程が不要となり、生産性が向上する。
【００２４】
また、溝部を軸受部の内壁面下部において、軸受部の奥側部分を除く箇所に形成させるとともに、接客面に臨む外側ほど下方に傾斜するように形成することにより、溝部に流れ落ちた水が軸受部の奥側部分に流れることを防止でき、一旦溝部に流れ落ちた水は溝部の高低差により外部に良好に排出されるので、信頼性が向上する。
【００２５】
さらに、軸受部の奥行方向中央部分において、返金レバーの回転軸と軸受部との間の隙間が軸受部の奥行方向手前側部分よりも大きくなる箇所を設け、この隙間が大きくなった箇所と溝部とを連通させることにより、水を良好に溝部に流れ込ませることができて、排水性能が向上する。
【図面の簡単な説明】
【図１】本発明の実施の形態にかかる自動販売機の返金レバー配設箇所の側面断面図である。
【図２】同返金レバー配設箇所の平面断面図である。
【図３】同自動販売機における投入口パネルの軸受部の部分切欠斜視図である。
【図４】同返金レバー配設箇所の要部拡大側面図である。
【図５】同返金レバー配設箇所の要部拡大平面図である。
【図６】自動販売機の斜視図である。
【図７】従来の自動販売機における返金レバー配設箇所の側面断面図である。
【図８】同従来の返金レバー配設箇所の平面断面図である。
【符号の説明】
１　　　　前面扉
１ａ　　　接客面
２　　　　コイン投入口
３　　　　返金レバー
３ａ　　　レバー部
３ｂ　　　回転軸
３ｃ　　　連結軸部
３ｄ　　　爪部
３ｅ　　　軸カバー部
４　　　　投入口パネル
４ａ　　　窪み部
４ｂ　　　軸受部
４ｂ１　　　軸受部の奥側部分
４ｂ２　　　軸受部の中央部分
４ｂ３　　　軸受部の手前側部分
４ｃ　　　溝部
４ｄ　　　前端部
５　　　　伝達リンク
【図１】
2004102846.tif 000003
【図２】
2004102846.tif 000004
【図３】
2004102846.tif 000005
【図４】
2004102846.tif 000006
【図５】
2004102846.tif 000007
【図６】
2004102846.tif 000008
【図７】
2004102846.tif 000009
【図８】
2004102846.tif 000010